(57)【要約】非連続帯域ＳＲＳの送信に、partial bandに相当する短い系列長の系列データを複数用いるmultiple short sequence based SRSにおいて、端末が、所定の系列データを含む参照信号を送信する周波数領域を特定し、その特定された周波数領域に対応付けられている位相シフト量を参照信号に適用し、その特定された周波数領域において、その位相シフト量が適用された参照信号を送信する。
2018127998.tif 000002
【特許請求の範囲】
【請求項１】
所定の系列データを含む参照信号を送信する周波数領域を特定し、当該特定された周波数領域に対応付けられている位相シフト量を前記参照信号に適用する回路と、
前記特定された周波数領域において、前記位相シフト量が適用された参照信号を送信する送信部と、
を備える端末。
【請求項２】
複数の周波数領域に対して、それぞれ、ランダムな位相シフト量が対応付けられている、
請求項１に記載の端末。
【請求項３】
前記ランダムな位相シフト量は、所定の疑似乱数に基づいて算出される量である、
請求項２に記載の端末。
【請求項４】
連続する複数の周波数領域に対して、それぞれ、異なる位相シフト量が対応付けられている、
請求項１に記載の端末。
【請求項５】
前記位相シフト量は、端末毎に異なるＩＤに基づいて算出される量である、
請求項１に記載の端末。
【請求項６】
前記位相シフト量は、基地局から送信される端末毎に異なるオフセット量に基づいて算出される量である、
請求項１に記載の端末。
【請求項７】
特定の周波数領域において、所定の系列データを含む参照信号を受信する受信部と、
前記特定された周波数領域に対応付けられている位相シフト量を適用した基準信号と、前記受信した参照信号とを比較する回路と、
を備える基地局。
【請求項８】
所定の系列データを含む参照信号を送信する周波数領域を特定し、当該特定された周波数領域に対応付けられている位相シフト量を前記参照信号に適用し、
前記特定された周波数領域において、前記位相シフト量が適用された参照信号を送信する、
通信方法。
【請求項９】
特定の周波数領域において、所定の系列データを含む参照信号を受信し、
前記特定された周波数領域に対応付けられている位相シフト量を適用した基準信号と、前記受信した参照信号とを比較する、
通信方法。
【発明の詳細な説明】
【技術分野】
【０００１】
本開示は、端末、基地局及び通信方法に関する。
【背景技術】
【０００２】
第５世代移動通信システム（５Ｇ）の標準化において、現行システムであるLTE/LTE-Advancedとは必ずしも後方互換性を持たない新しい無線アクセス技術（ＮＲ（Ｎｅｗ  ＲＡＴ））が３ＧＰＰで議論されている。【０００３】
LTE/LTE-Advancedでは、端末（「ＵＥ（User Equipment）」と呼ぶこともある）が基地局（「ｅＮＢ」あるいは「ｇＮＢ」と呼ぶこともある）から割り当てられた無線リソースで、Sounding Reference Signal（以下「ＳＲＳ」と呼ぶ）を送信する。基地局は、ＳＲＳの受信品質を測定することで、ＳＲＳの送信帯域における上り品質を推定することができる。また、LTE/LTE-Advancedでは、ＣＭ（Cubic Metric）／ＰＡＰＲ（Peak-to-Average Power Ratio）の増加を抑えるため、ＳＲＳは連続帯域で送信することが規定されている。【０００４】
ＮＲでは、図１４に示すように、ＳＲＳを複数の部分帯域（以下「partial band」と呼ぶ）１００で同時送信する（つまり、ＳＲＳを非連続帯域送信する）ことが検討されている（例えば、非特許文献１を参照）。【０００５】
ＮＲでは、LTE/LTE-Advancedと比較し、より広帯域のシステム帯域を用いることが検討されている。ＳＲＳの送信帯域幅が広い場合、セルエッジ付近の端末は、送信電力が不足してしまう。そこで、システム帯域の部分帯域を用いて非連続にＳＲＳを送信することで、端末の送信電力を抑えながら、広帯域にＳＲＳを送信することが検討されている。これにより、基地局は、広帯域の上り品質推定を短時間で実施することができる。【０００６】
非連続帯域ＳＲＳの送信に、partial bandに相当する短い系列長の系列データを複数用いるmultiple short sequence based SRSが検討されている（例えば、非特許文献２を参照）。ＳＲＳ用符号系列は、LTE/LTE-AdvancedのＳＲＳで用いられるＺａｄｏｆｆ−Ｃｈｕ（ＺＣ）系列データを利用する。ＺＣ系列データの系列長は、１つのpartial band１００に相当する長さとする。複数のpartial bandを同時送信する場合には、複数のＺＣ系列データを用いてＳＲＳを送信する。【０００７】
multiple short sequence based SRSは、各partial band１００において、端末間で異なるcyclic shift（ＣＳ）量（または、位相シフト量）を設定する。これにより、partial band１００のサイズが同じである場合、送信帯域が不一致の複数の端末のＳＲＳを、partial band１００の単位で符号直交化することができる（図１４参照）。よって、multiple short sequence based SRSは、ＳＲＳの周波数スケジューリングの自由度が高いという利点がある。
【先行技術文献】
【非特許文献】
【０００８】
【非特許文献１】R1-1613470, CATT他, “WF on SRS transmission for NR”, RAN1#87, November 2016
【非特許文献２】R1-1611808, LG他, “Considerations on NR SRS design”, RAN1#87, November 2016
【発明の概要】
【０００９】
multiple short sequence based SRSにおいて、柔軟に複数の端末をＣＳを用いて符号直交させるためには、端末に対してpartial band１００毎のＣＳ量を通知する必要がある（図１５参照）。よって、ＣＳ量の通知によるオーバヘッドが大きいという課題がある。
【００１０】
本開示の非限定的な実施例は、multiple short sequence based SRSにおいて、ＣＳ量を通知するためのシグナリングのオーバヘッドを削減することができる端末、基地局及び通信方法の提供に資する。
【００１１】
本開示の一態様に係る端末は、所定の系列データを含む参照信号を送信する周波数領域を特定し、その特定された周波数領域に対応付けられている位相シフト量を参照信号に適用する回路と、その特定された周波数領域においてその位相シフト量が適用された参照信号を送信する送信部とを備える。
【００１２】
本開示の一態様に係る基地局は、特定の周波数領域において所定の系列データを含む参照信号を受信する受信部と、その特定された周波数領域に対応付けられている位相シフト量を適用した基準信号とその受信した参照信号とを比較する回路とを備える。
【００１３】
本開示の一態様に係る通信方法は、所定の系列データを含む参照信号を送信する周波数領域を特定し、その特定された周波数領域に対応付けられている位相シフト量を参照信号に適用し、その特定された周波数領域においてその位相シフト量が適用された参照信号を送信する。
【００１４】
本開示の一態様に係る通信方法は、特定の周波数領域において所定の系列データを含む参照信号を受信し、その特定された周波数領域に対応付けられている位相シフト量を適用した基準信号とその受信した参照信号とを比較する。
【００１５】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１６】
本開示の一態様によれば、multiple short sequence based SRSにおいて、ＣＳ量を通知するためのシグナリングのオーバヘッドを削減することができる。
【００１７】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１８】
【図１】図１は、本開示の実施の形態に係る端末の構成を示す。
【図２】図２は、本開示の実施の形態に係る基地局の構成を示す。
【図３】図３は、partial band及びＲＵの定義を説明する。
【図４】図４は、実施の形態１に係る基地局の構成を示す。
【図５】図５は、実施の形態１に係る端末の構成を示す。
【図６】図６は、実施の形態１に係る端末の動作を示す。
【図７】図７は、実施の形態１に係る基地局の動作を示す。
【図８】図８は、ＣＳ算出方法１を説明する。
【図９】図９は、ＣＭ評価用のＳＲＳ割当の一例を示す。
【図１０】図１０は、ＣＭを評価したシミュレーション結果を示す。
【図１１】図１１は、ＣＭが高いＣＳ量の組み合わせを示す。
【図１２】図１２は、ＣＳ量算出方法３に係るＣＳ量の対応付けを示す。
【図１３】図１３は、ＣＳ量算出方法４に係るＣＳ量の対応付けを示す。
【図１４】図１４は、multiple short sequence based SRSを説明する。
【図１５】図１５は、ＣＳによるpartial band単位の符号直交化を説明する。
【発明を実施するための形態】
【００１９】
以下、本開示の実施の形態について、図面を参照しながら詳細に説明する。なお、以下の説明において、同種の要素を区別して説明する場合には、「ＣＳグループ３４２Ａ」、「ＣＳグループ３４２Ｂ」のように、参照符号を使用し、同種の要素を区別しないで説明する場合には、「ＣＳグループ３４２」のように参照符号のうちの共通番号のみを使用することがある。また、番号を「＃」で表現する場合がある。
【００２０】
本開示では、multiple short sequence based SRSにおいて、１つの符号系列（ＺＣ系列等）データの系列長に相当する周波数リソース単位をResource Unit（ＲＵ）と呼ぶ。１つのＲＵは１以上のResource Block（ＲＢ）から構成される。また、ＳＲＳを送信する１つ以上のＲＵを含む連続した帯域をpartial bandと呼ぶ。partial bandサイズおよびＲＵサイズは、セル、ＮＲのサービス種別（ｅＭＢＢ、ＵＲＬＬＣ、ｍＭＴＣ）、又は、キャリア周波数によって変えられてもよい。なお、本実施の形態では、ＲＵサイズとpartial bandサイズが等しい場合を例として説明する。ただし、図３に示すように、partial band１２０のサイズがＲＵ１１０のサイズよりも大きくてもよい。
【００２１】
また、本開示では、一例として、ＲＵ番号は、システム帯域をＲＵサイズで分割した場合のＲＵ単位のグリッドにおいて、周波数順に付加した番号とする。
【００２２】
＜通信システムの概要＞
本開示の各実施の形態に係る通信システムは、基地局１０及び端末１２を備える。
【００２３】
図１は、本開示の実施の形態に係る端末１２の構成を示すブロック図である。図１に示す端末１２において、回路１３は、所定の系列データを含む参照信号を送信する周波数領域を特定し、当該特定された周波数領域に対応付けられている位相シフト量を参照信号に適用し、送信部７２は、その特定された周波数領域において、その位相シフト量が適用された参照信号を送信する。
【００２４】
図２は、本開示の実施の形態に係る基地局１０の構成を示すブロック図である。図２に示す基地局１０において、受信部２０は、特定の周波数領域において所定の系列データを含む参照信号を受信し、回路１１は、その特定された周波数領域に対応付けられている位相シフト量を、その参照信号に適用する。
【００２５】
＜実施の形態１＞
次に、multiple short sequence based SRSにおける基地局１０および端末１２の構成をそれぞれ示す。
【００２６】
＜基地局の構成＞
図４は、本実施の形態に係るmultiple short sequence based SRSにおける基地局１０の構成を示すブロック図である。図４において、基地局１０は、アンテナ２１と、受信部２０と、復調復号部２２と、ＳＲＳ抽出部２４と、品質推定部２６と、スケジューリング部２８と、レプリカ生成部３０と、ＣＳ量算出部３２と、ＳＲＳリソース保持部３４と、ＳＲＳ制御信号生成部３６と、変調符号化部３８と、送信部４０とを有する。ＳＲＳ抽出部２４、品質推定部２６及びレプリカ生成部３０に係る機能は、図２の回路１１に含まれてよい。
【００２７】
受信部２０は、アンテナ２１を介して端末１２から受信した無線信号に、ダウンコンバート、Ａ／Ｄ変換等の受信処理を施す。受信部２０は、その受信処理を施した信号を復調復号部２２へ出力する。
【００２８】
復調復号部２２は、受信部２０から受け取った信号を復調及び復号する。復調復号部２２は、その復調及び復号した信号を、ＳＲＳ抽出部２４へ出力する。
【００２９】
ＳＲＳ抽出部２４は、ＳＲＳリソース保持部３４から受け取ったＳＲＳリソース情報に基づいて、復調復号部２２から受け取った信号からＳＲＳを抽出する。ＳＲＳ抽出部２４は、その抽出したＳＲＳを、品質推定部２６へ出力する。
【００３０】
ＳＲＳリソース情報は、端末１２がＳＲＳを送信するために必要な情報を含む。例えば、ＳＲＳリソース情報は、ＲＵ番号、ＲＵサイズ、及び、ＣＳオフセット量等、符号系列データに関する情報を含む。なお、基地局１０は、ＳＲＳリソース情報に含まれる全ての情報を必ずしも常に通知する必要はない。基地局１０は、ＲＵサイズ等、一部の情報をセル単位の情報として予め端末１２に通知してもよい。
【００３１】
ＳＲＳリソース保持部３４は、端末１２に通知したＳＲＳリソース情報を記憶する。端末１２に通知したＳＲＳリソース情報は、スケジューリング部２８から出力される。
【００３２】
ＣＳ量算出部３２は、ＳＲＳリソース保持部３４から受け取ったＳＲＳリソース情報に含まれるＲＵ番号およびＣＳオフセット量に基づき、ＳＲＳ割当帯域におけるＲＵ毎のＣＳ量を算出する。ＣＳ量算出部３２は、その算出したＲＵ毎のＣＳ量をレプリカ生成部３０に出力する。なお、ＲＵ番号を用いたＣＳ量の算出方法の詳細については後述する。
【００３３】
レプリカ生成部３０は、ＳＲＳリソース保持部３４から受け取ったＳＲＳリソース情報に基づいて、ＲＵサイズを判別し、ＺＣ系列データ等のＳＲＳ用符号系列データを用いて、ＲＵサイズのレプリカ信号を生成する。レプリカ生成部３０は、ＣＳ量算出部３２から受け取ったＲＵ毎のＣＳ量に基づいて、その生成したレプリカ信号に対してＣＳ（つまり位相シフト）を適用し、ＣＳが適用されたレプリカ信号を生成する。レプリカ生成部３０は、その生成したＣＳが適用されたレプリカ信号を、品質推定部２６に出力する。なお、レプリカ信号は、基準信号と呼んでもよい。
【００３４】
品質推定部２６は、ＳＲＳ抽出部２４で抽出されたＳＲＳとレプリカ生成部３０から出力されたＣＳが適用されたレプリカ信号とを比較するために相関演算を行い、端末１２から基地局１０への上り回線におけるチャネル品質を推定する。この推定結果を品質推定結果と呼ぶ。この相関演算は、ＲＵ毎、つまり、符号系列長毎に行う。品質推定部２６は、品質推定結果を、スケジューリング部２８に出力する。
【００３５】
スケジューリング部２８は、品質推定部２６から受け取った品質推定結果に基づいて、データのスケジューリング（ＭＣＳ設定、周波数リソース割当、送信電力制御等）を行う。スケジューリング部２８は、データに割り当てられた周波数を考慮し、各端末１２のＳＲＳリソース情報を決定する。スケジューリング部２８は、その決定したＳＲＳリソース情報を、ＳＲＳ制御信号生成部３６およびＳＲＳリソース保持部３４に出力する。
【００３６】
ＳＲＳ制御信号生成部３６は、スケジューリング部２８から受け取ったＳＲＳリソース情報を端末１２に通知するための制御信号を生成する。ＳＲＳ制御信号生成部３６は、その生成した制御信号を、変調符号化部３８へ出力する。
【００３７】
変調符号化部３８は、ＳＲＳ制御信号生成部３６から受け取った制御信号を変調および符号化し、送信部４０へ出力する。
【００３８】
送信部４０は、変調符号化部３８から受け取った信号にＤ／Ａ変換、アップコンバート、増幅等の送信処理を施す。送信部４０は、その送信処理を施した無線信号を、アンテナ２１を介して端末１２へ送信する。
【００３９】
＜端末の構成＞
図５は、本実施の形態に係るmultiple short sequence based SRSにおける端末１２の構成を示すブロック図である。図５において、端末１２は、アンテナ６１と、受信部６０と、復調復号部６２と、ＣＳ量算出部６４と、ＳＲＳ生成部６６と、ＳＲＳ帯域設定部６８と、変調符号化部７０と、送信部７２とを有する。ＳＲＳ帯域設定部６８に係る機能は、図１の回路１３に含まれてよい。
【００４０】
受信部６０は、アンテナ６１を介して受信した受信信号に対し、ダウンコンバート、Ａ／Ｄ変換等の受信処理を施す。受信部６０は、その受信処理を施した信号を、復調復号部６２へ出力する。
【００４１】
復調復号部６２は、受信部６０から受け取った信号を復調及び復号し、その復号及び復調した信号から、基地局１０から送信されたＳＲＳリソース情報を抽出する。復調復号部６２は、その抽出したＳＲＳリソース情報を、ＣＳ量算出部６４及びＳＲＳ帯域設定部６８へ出力する。
【００４２】
ＳＲＳ帯域設定部６８は、ＳＲＳリソース情報に含まれるＲＵ番号に、ＳＲＳ生成部６６から受け取ったＳＲＳをマッピングする。ＳＲＳ帯域設定部６８は、それによって得られた信号を、変調符号化部７０へ出力する。
【００４３】
ＣＳ量算出部６４は、基地局１０のＣＳ量算出部３２と同様の処理を行う。すなわち、ＣＳ量算出部６４は、ＳＲＳリソース情報に含まれるＲＵ番号及びＣＳオフセット量に基づいて、ＲＵ毎のＣＳ量を算出する。ＣＳ量算出部６４は、その算出したＣＳ量を、ＳＲＳ生成部６６に出力する。
【００４４】
ＳＲＳ生成部６６は、ＳＲＳリソース情報に含まれるＲＵサイズに基づいて、ＲＵサイズに相当する系列長の符号系列（ＺＣ系列）データを用いてＳＲＳを生成する。ＳＲＳ生成部６６は、その生成したＳＲＳに対して、ＣＳ量算出部６４から受け取ったＲＵ毎のＣＳ量に基づく巡回シフト（位相シフト）を適用する。ＳＲＳ生成部６６は、その巡回シフトを適用したＳＲＳを、ＳＲＳ帯域設定部６８に出力する。
【００４５】
変調符号化部７０は、ＳＲＳ帯域設定部６８から受け取った信号を変調及び符号化する。変調符号化部７０は、その変調及び符号化した信号を、送信部７２へ出力する。
【００４６】
送信部７２は、変調符号化部７０から受け取った信号に、Ｄ／Ａ変換、アップコンバート、増幅等の送信処理を施す。送信部７２は、その送信処理によって得られた無線信号を、アンテナ６１を介して基地局１０へ送信する。
【００４７】
＜基地局及び端末の動作＞
以上の構成を有する基地局１０及び端末１２における動作について詳細に説明する。
【００４８】
図６は端末１２の動作を示すフローチャートであり、図７は基地局１０の動作を示すフローチャートである。
【００４９】
端末１２は、参照信号を送信するＲＵ（すなわち周波数領域）を特定し（ＳＴ１００）、その特定したＲＵに対応付けられている位相シフト量を参照信号（すなわちＳＲＳを含む信号）に適用し（ＳＴ１０２）、その特定したＲＵにおいてその位相シフト量を適用した参照信号を基地局１０へ送信する（ＳＴ１０４）。
【００５０】
基地局１０は、特定のＲＵにおいて端末１２から参照信号を受信すると（ＳＴ１２０）、その特定のＲＵに対応付けられている位相シフト量を基準信号に適用し（ＳＴ１２２）、端末１２から受信した参照信号とその位相シフト量を適用した基準信号とを比較する（ＳＴ１２４）。当該比較により、基地局１０は、端末１２から基地局１０への上り回線におけるチャネル品質を推定する。
【００５１】
＜ＣＳ量算出方法＞
次に、端末１２および基地局１０のＣＳ量算出部において実施される、ＲＵ番号を用いたＣＳ算出方法の詳細を説明する。
【００５２】
＜ＣＳ量算出方法１＞
図８は、ＣＳ算出方法１の説明図である。
【００５３】
ＣＳ算出方法１では、周波数リソースのＲＵ番号とＣＳ量とを一意に対応づけ、端末１２毎のpartial band数によらず、ＳＲＳを多重する端末１２間で異なるＣＳオフセット量を、各端末１２に通知する。
【００５４】
基地局１０および端末１２は、partial band毎のＲＵ番号とＣＳオフセット量とから、該当ＲＵのＣＳ量を算出する。ＣＳオフセット量の通知方法は、ＤＣＩ（Downlink Control Information）を用いてDynamicに通知してもよいし、Semi-staticに通知してもよい。
【００５５】
図８の表２００の行２０２では、ＲＵ＃０に対してＣＳ量「０」、ＲＵ＃１に対してＣＳ量「１」、…、ＲＵ＃４に対してＣＳ量「４」が一意に対応付けられている。ＵＥ＃０には、ＣＳオフセット量「１」が通知されている。ＵＥ＃１には、ＣＳオフセット量「３」が通知されている。ＵＥ＃０は、ＲＵ＃４でＳＲＳを送信する場合、ＲＵ＃４に対応付けられているＣＳ量「４」に、通知されているＣＳオフセット量「１」を加算し、ＳＲＳに対する巡回シフト量（位相シフト量）「５」を算出する。ＵＥ＃１は、ＲＵ＃４でＳＲＳを送信する場合、ＲＵ＃４に対応付けられているＣＳ量「４」に、通知されているＣＳオフセット量「３」を加算し、ＳＲＳに対する巡回シフト量（位相シフト量）「７」を算出する。これにより、同じＲＵ＃４で送信されるＵＥ＃０とＵＥ＃１のＳＲＳには、異なる巡回シフト量が適用されるため、基地局１０は、ＵＥ＃０とＵＥ＃１のＳＲＳを区別することができる。
【００５６】
このように、周波数リソースに係るＲＵ番号とＣＳ量とを一意に対応付けることにより、基地局１０は、端末１２に対して、ＣＳオフセット量を通知すればよく、partial band毎のＣＳ量を通知する必要はない。よって、基地局１０から端末１２へのシグナリングのオーバヘッドを削減することができる。
【００５７】
なお、ＣＳオフセット量は、基地局１０から通知されるのではなく、端末１２自身のＩＤ（例えばＲＮＴＩ（Radio Network Temporary ID））から算出されてもよい。
【００５８】
このように、端末１２自身のＩＤからＣＳオフセット量を算出することにより、基地局１０は、端末１２に対して、ＣＳオフセット量を通知する必要がなくなる。よって、基地局１０から端末１２へのシグナリングのオーバヘッドをさらに削減することができる。この場合、基地局１０は、ＣＳオフセット量が異なる端末１２が同一ＲＵに割り当てられるように、スケジューリングする。
【００５９】
このように、本実施の形態によれば、周波数リソースのＲＵ番号とＣＳ量とを一意に対応付けることにより、multiple short sequence based SRSにおけるＣＳ量のシグナリングのオーバヘッドを削減することができる。
【００６０】
＜実施の形態２＞
前述したように、ＣＳ算出方法１を用いることで、ＣＳ量のシグナリングのオーバヘッドを低減することができる。
【００６１】
しかしながら、multiple short sequence based SRSは、各ＲＵで使用するＣＳ量の組み合わせによって、ＣＭ又はＰＡＰＲが大きくなる可能性がある。
【００６２】
図９は、ＣＭ評価用のＳＲＳ割当の一例を示す図である。
【００６３】
図９において、Partial band数は「４」、ＺＣ系列番号は「１」、ＲＵサイズは４ＲＢ（１ＲＢ＝１２サブキャリア）、Partial band間隔は４ＲＢ、ＳＲＳが送信されるＲＵがＲＵ＃０、＃２、＃４、＃６である。
【００６４】
図１０は、図９における全ＣＳ量の組み合わせでＣＭを評価したシミュレーション結果を示すグラフ３００である。
【００６５】
ＯＦＤＭデータのＣＭは４．０ｄＢなので、グラフ３００によれば、ＳＲＳのＣＭがＯＦＤＭデータのＣＭより大きくなるＣＳ量の組合せが約５％存在することがわかる。
【００６６】
図１１は、ＲＵ毎の全ＣＳ量の組み合わせの中で、特にＣＭが高いＣＳ量の組み合わせの一例を示す表３２０である。
【００６７】
各ＲＵに対するＣＳ量の割り当てパターンが、図１１の表３２０の例に示すような、下記のケースＡ〜Ｄに当てはまる場合、ＣＭが大きくなる。
・ケースＡ  全てのＲＵ（又はPartial band）のＣＳ量が同じケース
・ケースＢ  隣接するＲＵ（又はPartial band）のＣＳ量が単調に変化するケース
・ケースＣ  ＲＵ（又はPartial band）の前半（周波数が低い側）と後半（周波数が高い側）のＣＳ量が同じケース
・ケースＤ  全ＲＵ（又はPartial band）の大半（本評価条件では、３／４以上の割合）でＣＳ量が同じケース
【００６８】
そこで、実施の形態２では、上記のケースの発生を抑制するＣＳ量算出方法２〜４について説明する。なお、実施の形態２に係る、基地局１０および端末１２の構成、ＣＳ量と周波数リソースのＲＵ番号とが一意に対応付けられている構成、端末１２毎のpartial band数によらず、同一帯域にＳＲＳを多重させる端末１２に対して異なるＣＳオフセット量を通知する構成などについては、実施の形態１と同様とする。
【００６９】
ＣＳ量算出方法２、３、４は、それぞれ、ＲＵ番号とＣＳ量との対応付けの方法が異なる。以下、説明する。
【００７０】
＜ＣＳ量算出方法２＞
ＣＳ量算出方法２は、ＲＵ番号毎のＣＳ量をランダムに対応付ける方法である。
【００７１】
ＲＵ番号毎のランダムなＣＳ量の設定は、予め所定のパターンテーブルによって、セル単位又はシステム仕様で定義されてもよい。又は、ＲＵ番号毎のランダムなＣＳ量の設定は、所定の疑似乱数を用いて、以下の式１で算出されてもよい。
【００７２】
CS(m,n) = mod(PN(m)+Δ(n),NCS)    …（式１）
【００７３】
ここで、ｍはＲＵ番号、ｎは端末番号、ＮＣＳはＣＳの最大数（LTE/LTE-Advancedの場合、ＮＣＳ＝１２）、ＣＳ（ｍ，ｎ）は端末＃ｎ及びＲＵ番号＃ｍにおけるＣＳ量、ＰＮ（ｍ）はＲＵ番号＃ｍにおける疑似乱数（０からＮＣＳ−１までの乱数）、Δ（ｎ）は端末＃ｎのＣＳオフセット量を示す。
【００７４】
ＣＳ量算出方法２によれば、ＲＵ毎にパターンテーブルや疑似乱数等を用いてランダムにＣＳ量を設定することにより、multiple short sequence based SRSにおいてＣＭが増加する確率を低減させることができる。また、ＣＳ量算出方法１と同様に、シグナリングのオーバヘッド低減の効果も得られる。
【００７５】
＜ＣＳ量算出方法３＞
ＣＳ算出方法３は、最大ＣＳ数（ＮＣＳ）分の連続する（又は隣接する）ＲＵで構成されるＣＳグループ内において、各ＲＵに対して異なるＣＳ量を対応付ける方法である。
【００７６】
図１２は、ＣＳ量算出方法３に係るＣＳ量の対応付けを示す表３４０である。
【００７７】
図１２の表３４０は、最大ＣＳ数が「３」であり、ＲＵ＃０からＲＵ＃２がＣＳグループ３４２Ａに属し、ＲＵ＃３からＲＵ＃５がＣＳグループ３４２Ｂに属し、各ＣＳグループ３４２内において、各ＲＵに対して異なるＣＳ量を一意に対応付けた例である。
【００７８】
なお、ＣＳグループ３４２が異なる場合、同じパターンのＣＳ量が対応付けられてもよい。又は、ＣＳグループ３４２毎に、異なるパターンのＣＳ量が対応付けられてもよい。例えば、ＣＳグループ３４２毎に異なるオフセット量（Δｇｒｏｕｐ）を適用してもよい。
【００７９】
ＣＳ量算出方法３によれば、ＣＳグループ内の各ＲＵに、異なるＣＳ量が対応付けられるので、連続する（又は、隣接する）ＮＣＳ個のＲＵにＳＲＳを割り当てる場合に、その割当の帯域内においてＣＳ量が同じになる確率が低下する。すなわち、ケースＡ、Ｃ、Ｄの発生確率を下げることができる。よって、ＣＭの増加確率を抑制することができる。また、ＣＳ量算出方法１と同様に、シグナリングのオーバヘッドを低減させることができる。
【００８０】
＜ＣＳ量算出方法４＞
ＣＳ量算出方法４も、ＣＳ算出方法３と同様に、ＣＳグループ内の各ＲＵに、異なるＣＳ量を対応付ける。ただし、ＣＳ量算出方法４では、ＣＳグループは、連続するＲＵではなく、Ｎｃｏｍｂ個のＲＵ間隔で最大ＣＳ数（ＮＣＳ）個のＲＵから構成される。
【００８１】
Ｎｃｏｍｂは、端末１２に適用する所定のPartial band間隔とする。例えば、シグナリング低減等の目的で、Partial band間隔を偶数ＲＵに制限する場合、Ｎｃｏｍｂ＝２とする。
【００８２】
図１３は、ＣＳ量算出方法４に係るＣＳ量割当の一例を示す表３６０である。
【００８３】
図１３の表３６０は、Ｎｃｏｍｂ＝２、ＮＣＳ＝３であり、ＲＵ＃０、＃２、＃４、…がＣＳグループ３６２Ａに属し、ＲＵ＃１、＃３、＃５、…がＣＳグループ３６２Ｂに属し、各ＣＳグループ３６２内において、各ＲＵに対して異なるＣＳ量を一意に対応付けた例である。
【００８４】
なお、ＣＳグループ３６２が異なる場合、同じＣＳ量が対応付けられてもよい。又は、ＣＳグループ３６２毎に、異なるＣＳ量が対応付けられてもよい。例えば、ＣＳグループ３６２毎に異なるオフセット量（Δｇｒｏｕｐ）を適用してもよい。
【００８５】
ＣＳ量算出方法４によれば、Ｎｃｏｍｂ個のＲＵ間隔で形成されたＣＳグループ内の各ＲＵに、異なるＣＳ量が対応付けられるので、Ｎｃｏｍｂ個のＲＵ間隔のＲＵにＳＲＳを割り当てる場合に、その割当の帯域内においてＣＳ量が同じになる確率が低下する。すなわち、ケースＡ、Ｃ、Ｄの発生確率を下げることができる。よって、ＣＭの増加確率を抑制することができる。また、ＣＳ量算出方法１と同様に、シグナリングのオーバヘッドを低減させることができる。
【００８６】
なお、実施の形態２におけるＣＳ算出方法の場合、ＳＲＳのＲＵ割り当てパターンによっては、ＣＭが高いＣＳ量の組み合わせになる可能性もある。そこで、基地局１０のスケジューリングにおいて、ＣＭが大きくなるＣＳ量の組み合わせ（上記のケースＡからＤ）を回避するように、送信帯域を割り当ててもよい。
【００８７】
また、実施の形態２に係るＣＳオフセット量の通知方法は、ＤＣＩを用いてDynamicに通知してもよいし、Semi-staticに通知してもよい。
【００８８】
また、ＣＳオフセット量は、基地局１０から通知せずに、端末１２自身のＩＤ（ＲＮＴＩ）から算出される構成であってもよい。
【００８９】
なお、上述の各実施の形態は、下記の構成であってもよい。
【００９０】
multiple short sequence based SRSにおいて、端末１２の送信電力が最大送信電力に達した場合は、一部のpartial bandをドロップ（未送信）してもよい。multiple short sequence based SRSでは、partial band数を減らすことにより必要な送信電力が低減でき、さらにＣＭが低減できるため、要求される上り送信電力でＳＲＳを送信することができる。
【００９１】
また、multiple short sequence based SRSを用いることで、一部のドロップしたpartial bandでは上り品質推定ができないものの、送信するpartial bandではＣＳによる直交性が維持できるので、上り品質推定が可能となる。
【００９２】
送信帯域全体に相当する系列長の系列をpartial band毎に分割してＳＲＳを生成した場合、一部のpartial bandをドロップすると、全てのpartial bandでＣＳによる直交性が崩れ、上り品質推定が困難となる。
【００９３】
また、上述の各実施の形態では、送信する情報としてＳＲＳを例に挙げて説明したが、これに限らず、ＤＭ−ＲＳ（demodulation reference signal）、ＣＳＩ−ＲＳ（Channelstate information reference signal）などの直交系列を用いる参照信号でもよい。
【００９４】
また、ＳＲＳ用系列データは、ＺＣ系列だけではなく、ＧＣＬ（Generalized Chirp Like）系列、Ｍ系列やLTE/LTE-Advancedの１、２ＲＢ送信で使用されているComputer generated CAZAC系列などの系列でもよい。
【００９５】
以上、本開示の各実施の形態について説明した。なお、上述した各実施の形態は、どのように組み合わせてもよい。
【００９６】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【００９７】
本開示の端末は、所定の系列データを含む参照信号を送信する周波数領域を特定し、当該特定された周波数領域に対応付けられている位相シフト量を前記参照信号に適用する回路と、前記特定された周波数領域において、前記位相シフト量が適用された参照信号を送信する送信部と、を備える。
【００９８】
本開示の端末において、複数の周波数領域に対して、それぞれ、ランダムな位相シフト量が対応付けられている。
【００９９】
本開示の端末において、前記ランダムな位相シフト量は、所定の疑似乱数に基づいて算出される量である。
【０１００】
本開示の端末において、連続する複数の周波数領域に対して、それぞれ、異なる位相シフト量が対応付けられている。
【０１０１】
本開示の端末において、前記位相シフト量は、端末毎に異なるＩＤに基づいて算出される量である。
【０１０２】
本開示の端末において、前記位相シフト量は、基地局から送信される端末毎に異なるオフセット量に基づいて算出される量である。
【０１０３】
本開示の基地局は、特定の周波数領域において所定の系列データを含む参照信号を受信する受信部と、前記特定された周波数領域に対応付けられている位相シフト量を適用した基準信号と、前記受信した参照信号とを比較する回路と、を備える。
【０１０４】
本開示の通信方法は、所定の系列データを含む参照信号を送信する周波数領域を特定し、当該特定された周波数領域に対応付けられている位相シフト量を前記参照信号に適用し、前記特定された周波数領域において、前記位相シフト量を適用された参照信号を送信する。
【０１０５】
本開示の通信方法は、特定の周波数領域において、所定の系列データを含む参照信号を受信し、前記特定された周波数領域に対応付けられている位相シフト量を適用した基準信号と、前記受信した参照信号とを比較する。
【０１０６】
上述した実施形態は、本発明の説明のための例示であり、本発明の範囲を実施形態にのみ限定する趣旨ではない。当業者は、本発明の要旨を逸脱することなしに、他の様々な態様で本発明を実施することができる。
【０１０７】
本開示の一態様は、移動通信システムに有用である。
【符号の説明】
【０１０８】
１０  基地局
１１  回路
１２  端末
１３  回路
２０  受信部
２１  アンテナ
２２  復調復号部
２４  ＳＲＳ抽出部
２６  品質推定部
２８  スケジューリング部
３０  レプリカ生成部
３２  ＣＳ量算出部
３４  ＳＲＳリソース保持部
３６  ＳＲＳ制御信号生成部
３８  変調符号化部
４０  送信部
６０  受信部
６１  アンテナ
６２  復調復号部
６４  ＣＳ量算出部
６６  ＳＲＳ生成部
６８  ＳＲＳ帯域設定部
７０  変調符号化部
７２  送信部
【図１】
2018127998.tif 000003
【図２】
2018127998.tif 000004
【図３】
2018127998.tif 000005
【図４】
2018127998.tif 000006
【図５】
2018127998.tif 000007
【図６】
2018127998.tif 000008
【図７】
2018127998.tif 000009
【図８】
2018127998.tif 000010
【図９】
2018127998.tif 000011
【図１０】
2018127998.tif 000012
【図１１】
2018127998.tif 000013
【図１２】
2018127998.tif 000014
【図１３】
2018127998.tif 000015
【図１４】
2018127998.tif 000016
【図１５】
2018127998.tif 000017
【国際調査報告】
2018127998.tif 000018
2018127998.tif 000019
2018127998.tif 000020
2018127998.tif 000021